(57)【要約】【課題】  １個のメインコネクタをロックすることにより並列した他のサブコネクタもロックし、コネクタ構造の簡素化、スペースの節約を図る。【解決手段】  サブコネクタ１５をコネクタ１３に嵌合して固定した後に、メインコネクタ１４をコネクタ１２の上部に嵌合し、押し込みレバー１６を押し込むと、カム作用によりメインコネクタ１４は降下し、同時にメインコネクタ１４の押さえ片１４ａによりサブコネクタ１５を押さえ付け、サブコネクタ１５はメインコネクタ１４を外さない限り外れることはなくなる。【選択図】図１
2006269249.tif 000002
【特許請求の範囲】
【請求項１】
メインコネクタとサブコネクタとを並列してそれぞれ相手側コネクタに嵌合する場合において、前記サブコネクタの相手側コネクタからの抜け出しを防止するために前記メインコネクタに前記サブコネクタを押さえ付ける押さえ部材を設けたことを特徴とする電気コネクタ。
【請求項２】
前記押さえ部材は前記メインコネクタの側部に設けたことを特徴とする請求項１に記載の電気コネクタ。
【請求項３】
前記メインコネクタに相手側コネクタに対する操作機構を有し、該操作機構を操作することにより、前記メインコネクタは前記相手側コネクタに引き込まれるように動作することを特徴とする請求項１に記載の電気コネクタ。
【請求項４】
前記操作機構にロック機構を設け、前記操作機構の状態を目視することにより、前記ロック機構のロック状態を確認できるようにしたことを特徴とする請求項１に記載の電気コネクタ。
【請求項５】
前記メインコネクタは１個とし、前記サブコネクタを１個又は複数とした請求項１に記載の電気コネクタ。
【発明の詳細な説明】
【技術分野】
【０００１】
本発明は、複数のコネクタを並列して使用し、そのうちのメインコネクタによって、全コネクタが相手側コネクタから外れないようにした電気コネクタに関するものである。
【背景技術】
【０００２】
従来から例えば図９に示すように、ユニット１側に信号用のコネクタ２、３と電源用のコネクタ４を並列して配置し、それぞれのコネクタ２、３、４に対し電線同士を接続するための相手側コネクタ５、６、７を嵌合することが通常行われている。
【０００３】
そして、例えば自動車等における使用では、各コネクタ同士のロックを行わないと、振動により外れてしまうことがあり、各コネクタは例えば爪部２ａ、３ａ、４ａを用いたロック機構により、それぞれ不時に外れないようにロックをする必要がある。
【発明の開示】
【発明が解決しようとする課題】
【０００４】
しかし、コネクタごとにロック機構を備えると、コネクタが大きくなって広いスペースを必要とし、特にコネクタを密接して並列配置する場合には、スペース的、操作的に問題が生ずる。
【０００５】
そこで、図１０に示すように複数のコネクタを１つのコネクタ８に集約し、相手側コネクタ９に対することも考えられるが、別系統からの配線を１つのコネクタ８に取り込むことが無理なこともあり、また電圧、電流の違いなどによりノイズの問題などが生じ、集約が困難な場合もある。
【０００６】
本発明の目的は、メインコネクタに設けた押さえ部材を用いて、並列したサブコネクタが共に外れないようにし得る電気コネクタを提供することにある。
【課題を解決するための手段】
【０００７】
上述の目的を達成するための本発明の技術的特徴は、メインコネクタとサブコネクタとを並列してそれぞれ相手側コネクタに嵌合する場合において、前記サブコネクタの相手側コネクタからの抜け出しを防止するために前記メインコネクタに前記サブコネクタを押さえ付ける押さえ部材を設けたことにある。
【発明の効果】
【０００８】
本発明に係る電気コネクタによれば、メインコネクタにより並列したサブコネクタも同時にロックすることができ、コネクタ構造の簡素化、スペースの節約となる。
【０００９】
また、ロック状態を外部から目視で確認できるようにすると、ロックの保証となり、安全性が確保できる。
【発明を実施するための最良の形態】
【００１０】
本発明を図１〜図８に図示の実施例に基づいて詳細に説明する。
【実施例１】
【００１１】
図１はユニット１１側の相手側コネクタ１２、１３に対し、例えば多数の信号線を接続するためのメインコネクタ１４と、電源線を接続するためのサブコネクタ１５とをそれぞれ嵌合する直前の状態の斜視図を示している。合成樹脂から成るそれぞれのコネクタ１２〜１５内には、図示しない端子金具が内装されており、更にはこれらの端子金具に接続した電線が図９に示すように取り付けられているが、これらは図示を省略している。
【００１２】
相手側コネクタ１２、１３に対し、メインコネクタ１４とサブコネクタ１５はそれぞれ別個に覆い被さるようにし、コネクタ同士を嵌合すると、それぞれの端子金具同士の電気的接続がなされる。
【００１３】
メインコネクタ１４の上側部には、サブコネクタ１５の肩部１５ａを押さえ付けるための押さえ片１４ａが設けられている。また、メインコネクタ１４には相手側コネクタ１２に対する操作機構が出し入れ自在に付設され、この操作機構には図２に示す略コ字状の押し込みレバー１６が用いられている。
【００１４】
この押し込みレバー１６の両側部には、それぞれ２個の傾斜溝１６ａ、１６ｂが設けられており、これらの傾斜溝１６ａ、１６ｂはコネクタ１２の両側から突出する２個のピン１２ａ、１２ｂとそれぞれ係合するようにされている。また、押し込みレバー１６の両側面にはロック用の凹部１６ｃが設けられている。
【００１５】
サブコネクタ１５をコネクタ１３に嵌合した後に、図３に示すようにメインコネクタ１４をコネクタ１２の上部に嵌め込み、ここで押し込みレバー１６を押し込む。この押し込みは、メインコネクタ１４の傾斜溝１６ａ、１６ｂと係合するピン１２ａ、１２ｂとのカム作用により、メインコネクタ１４を下方に押し込む力に変換され、図４に示すようにメインコネクタ１４は降下し、最終的に図５に示すようにコネクタ１２と嵌合し、同時に押さえ片１４ａによりサブコネクタ１５は押さえ付けられる。
【００１６】
このとき、押し込みレバー１６に設けた凹部１６ｃに対するコネクタ１２に設けた図示しないロック手段により、メインコネクタ１４はコネクタ１２に対し抜け出し防止のロックがなされる。このロックにより押し込みレバー１６は不時に抜け出すことがなくなり、メインコネクタ１４は相手側コネクタ１２から外れることがなくなる。更に、サブコネクタ１５はメインコネクタ１４の押さえ片１４ａにより押さえ付けられているので、メインコネクタ１４を外さない限り外れることはなくなる。
【００１７】
なお、コネクタ１４、１５を相手側コネクタ１２、１３から外すには、押し込みレバー１６をロックしているロック手段を解除してから、押し込みレバー１６をメインコネクタ１４から引き抜く。この引き抜き過程で、メインコネクタ１４は傾斜溝１６ａ、１６ｂの作用によって上昇するので、このままメインコネクタ１４をコネクタ１２から外すことができる。同時に、サブコネクタ１５は押さえ片１４ａによる規制がなくなるので、同様にコネクタ１３から外すことができる。
【００１８】
なお、本実施例１においては、押し込みレバー１６はメインコネクタ１４の外部から操作するので、ロック手段が機能しているかどうかを目視により確認可能で、コネクタロックに対する保証機能（ＣＰＡ）を有している。
【実施例２】
【００１９】
図６は実施例２の斜視図を示し、ユニット２１側の相手側コネクタ２２、２３に対応してメインコネクタ２４とサブコネクタ２５が嵌合されるようになっている。メインコネクタ２４が相手側コネクタ２２と嵌合する際に、メインコネクタ２４の両側から突出した押さえ片２４ａがサブコネクタ２５の両側の肩部２５ａを押さえ付けるようにされ、サブコネクタ２５はメインコネクタ２４によってその抜け出しが規制されることにおいて、実施例１と同様である。
【００２０】
メインコネクタ２４は手押部２６ａを有する回動レバー２６による操作機構によって嵌合が操作されている。回動レバー２６はピン２４ｂによりメインコネクタ２４に対して回動可能に取り付けられ、コネクタ２２に設けたボス２２ａに対するカム溝２６ｂを有している。また、ユニット２１には回動レバー２６を所定位置でロックするための鉤部２１ａが設けられている。
【００２１】
図７に示すように、サブコネクタ２５を相手側コネクタ２３に嵌合してからメインコネクタ２４を相手側コネクタ２２に嵌め込む。更に、図８に示すように回動レバー２６の手押部２６ａを下方に押し込むことにより、カム溝２６ｂのボス２２ａに対するカム作用により、メインコネクタ２４を降下することができる。
【００２２】
そして、この回動レバー２６の降下が終了した位置で、手押部２６ａは鉤部２１ａにより係止されることにより、回動レバー２６は不時に持ち上がることがなくなって、メインコネクタ２４は相手側コネクタ２２に対してロックされる。同時に、サブコネクタ２５も押さえ片２４ａを介して相手側コネクタ２３に対して押さえ付けられることになる。
【００２３】
これらのメインコネクタ２４、サブコネクタ２５を相手側コネクタ２２、２３から外すには、回動レバー２６に対する鉤部２１ａによるロックを解除してから、回動レバー２６の手押部２６ａを引き上げるように回動する。これにより、メインコネクタ２４を上昇させてコネクタ２２から外すことができ、更にサブコネクタ２５も押さえ片２４ａによる規制が解除され、コネクタ２３から外すことができる。
【００２４】
なお、本実施例２においても、回動レバー２６はメインコネクタ２４の外部から操作するので、ロック手段の機能を目視で確認できコネクタロックに対する保証機能（ＣＰＡ）を有している。
【図面の簡単な説明】
【００２５】
【図１】実施例１のメインコネクタ、サブコネクタの嵌合前の斜視図である。
【図２】押し込みレバーの斜視図である。
【図３】メインコネクタ、サブコネクタの嵌合過程の説明図である。
【図４】メインコネクタ、サブコネクタの嵌合過程の説明図である。
【図５】メインコネクタ、サブコネクタの嵌合時の斜視図である。
【図６】実施例２のメインコネクタ、サブコネクタの嵌合前の斜視図である。
【図７】メインコネクタ、サブコネクタの嵌合過程の説明図である。
【図８】メインコネクタ、サブコネクタの嵌合時の斜視図である。
【図９】従来の複数のコネクタの嵌合前の斜視図である。
【図１０】従来の複数のコネクタを集約した状態の斜視図である。
【符号の説明】
【００２６】
１１、２１  ユニット
１２、１３、２２、２３  相手側コネクタ
１２ａ、１２ｂ  ピン
１４、２４  メインコネクタ
１４ａ、２４ａ  押さえ片
１５、２５  サブコネクタ
１５ａ、２５ａ  肩部
１６  押し込みレバー
１６ａ、１６ｂ  傾斜溝
２１ａ  鉤部
２６  回動レバー
２６ａ  手押部
２６ｂ  カム溝
【図１】
2006269249.tif 000003
【図２】
2006269249.tif 000004
【図３】
2006269249.tif 000005
【図４】
2006269249.tif 000006
【図５】
2006269249.tif 000007
【図６】
2006269249.tif 000008
【図７】
2006269249.tif 000009
【図８】
2006269249.tif 000010
【図９】
2006269249.tif 000011
【図１０】
2006269249.tif 000012